(57)【要約】      （修正有）【課題】復号化後の画像データ内のノイズを抑えることができる画像復号化方法及び画像処理装置を提供する。【解決手段】ＣＰＵは、セグメントを指定して、ＶＤＰ２に対してデコード指令を出す（ステップＳ１）。デコーダは、その指定セグメントのアドレス情報に基づき、ＣＧＲＯＭから、そのセグメントについての拡張セグメントデータ（そのセグメントの画像データと隣接セグメントの一部の画像データをまとめて符合化したもの）を読み出してきて、復号化処理を行い得られた復号化データについて、付加した隣接セグメントの一部に対応する不要な領域（削除する領域）を決定すると共に、描画先を決定する（ステップＳ２）。ＣＰＵは、決定された削除する領域と描画先をパラメータとして、ＶＤＰ２に対してそのセグメントの描画を指令する（ステップＳ３）。ＣＰＵは、全てのセグメントについて、処理が終了したか否かを判断する（ステップＳ４）。【選択図】図２
2012156904.tif 000002
【特許請求の範囲】
【請求項１】
ブロック間予測または階層符号化を使用して符号化された画像データを複数に分割したセグメント単位で順に復号化して画像全体の復号化画像データを得る画像復号化方法であって、
各セグメントの画像データに加えて、当該セグメントに隣接するセグメントの画像データの一部を付加して符合化された圧縮データを復号化し、
得られた復号化画像データから不要領域データを削除して当該セグメントについての復号化画像データとすることを特徴とする画像復号化方法。
【請求項２】
ブロック間予測又は階層符号化を使用して符号化された画像データを複数に分割したセグメント単位で順に復号化して画像全体の復号化画像データを得る画像復号化方法であって、
指令制御部が、格納部に格納された複数のセグメントのうちの１つとその格納領域情報を特定して復号化指令を発し、
前記復号化指令を受けた復号化部は、前記格納部から、特定されたセグメントについての画像データと、当該セグメントに隣接するセグメントの画像データの一部とがまとめて符号化された圧縮データを読み出してきて全体を復号化し、
前記指令制御部は、得られた復号化画像データのうち、削除する不要領域を指定し、
その削除する領域の情報を受けた前記復号化部は、得られた復号化画像データから不要領域のデータを削除して当該セグメントについての復号化画像データを得ることを特徴とする画像復号化方法。
【請求項３】
当該セグメントに隣接するセグメントの画像データの一部は、当該セグメントに接した一定幅領域であることを特徴とする請求項１又は２に記載の画像復号化方法。
【請求項４】
前記一定幅領域は、符号化方法及び要求される画質の少なくとも一方に依存して決定されることを特徴とする請求項３に記載の画像復号化方法。
【請求項５】
前記画像データに係る画像は、遊技機に表示される画像であることを特徴とする請求項１乃至４のいずれかに記載の画像復号化方法。
【請求項６】
前記遊技機は、パチンコ機であることを特徴とする請求項５に記載の画像復号化方法。
【請求項７】
ブロック間予測または階層符号化を使用して符号化された画像データを複数に分割したセグメント単位の圧縮データが格納される格納部と、
前記格納部に格納された各セグメントを指定して復号化指令を発する指令制御部と、
前記指令制御部から復号化指令に基づき、前記格納部から、指定されたセグメントの画像データに加えて当該セグメントに隣接するセグメントの画像データの一部とがまとめて符号化された圧縮データを読み出してきて全体を復号化し、得られた復号化画像データから不要領域データを削除して当該セグメントについての復号化画像データを得る復号化部と、
を備えたことを特徴とする画像処理装置。
【発明の詳細な説明】
【技術分野】
【０００１】
本発明は、遊技機等で行われる画像復号化方法及びそれに使用される画像処理装置に関し、特に、画像を複数のセグメントに分割して、それぞれ順に復号化して全体の復号化画像を得るような画像復号化方法及び画像処理装置に関する。
【背景技術】
【０００２】
パチンコ機、ゲーム機等の遊技機は、その遊技の進行に応じて、画像表示デバイス（典型的には、液晶表示装置（ＬＣＤ：Liquid Crystal Display））に、精細な静止画や高速に変化する動画を表示することが今や常識となっている。
【０００３】
特に、アミューズメント分野における遊技機においては、他の用途では使用しないような巨大な静止画像や動画像を使用する。例えば、一般の用途であれば、いわゆるフルＨＤと呼ばれる1920x1080画素の画像が一般的であるが、アミューズメント分野における遊技機では、4096x4096の画素をスクロールさせながら表示するような演出がある。そのような場合、デコード容量を大きくした新たなデコーダを備えたLSIを用意するハードウェア対策が必要であった。一方、例えば4096x4096画素をデコードする場合に、画像全体をソフトウェアで分割して、1920x1080画素用の小さい容量のデコーダに供給する手法が考えられる。
【先行技術文献】
【特許文献】
【０００４】
【特許文献１】特開２００８−１０９３８９号公報
【発明の概要】
【発明が解決しようとする課題】
【０００５】
図５は、上記画像分割を行うソフトウェア手法を模式的に説明するための図である。なお、同図においては、２×２の４セグメント（セグメント（１）〜（４））の場合を例示している。
【０００６】
このとき、アミューズメント分野で使用されているブロック間予測や階層符号化を用いて符号化された画像データに適用すると、復号化されたセグメントの境界部分では、ノイズが発生してしまう。
【０００７】
特に、H.264におけるイントラ予測に代表されるブロック間予測や、JPEG2000におけるウェーブレットに代表される階層符号化を採用して符号化されている画像の場合には、それが顕著に現れる。これは、セグメントに分割したことによって、分割領域外の画素を予測に使用できなくなり、セグメント間の不整合が生じるためである。
【０００８】
本発明は上述のような事情から為されたものであり、本発明の目的は、ブロック間予測または階層符号化を使用して符号化された画像データ内のノイズを抑えて復号化できる画像復号化方法及び画像処理装置を提供することにある。
【０００９】
なお、特許文献１には、重複した画像データのそれぞれを対象にして復号化し、その後、重複した領域を削除する技術が開示されているが、対象としているのは、離散コサイン変換（ＤＣＴ：Discrete Cosine Transform）等を採用してブロックごとに独立して符号化を行った符号化画像データであり、8x8の倍数単位で分割すれば、画像分割によって画質が低下することは無いため、ブロック間予測に起因する境界ノイズを抑制する本発明とは、課題が異なり、それに伴い後述のように構成も異なる。
【課題を解決するための手段】
【００１０】
上記目的を達成するため、本発明の画像復号化方法は、ブロック間予測または階層符号化を使用して符号化された画像データを複数に分割したセグメント単位で順に復号化して画像全体の復号化画像データを得る画像復号化方法であって、各セグメントの画像データに加えて、当該セグメントに隣接する画像データの一部を付加して符号化されたデータを復号化し、得られた復号化画像データから不要領域データを削除して当該セグメントについての復号化画像データとすることを要旨とする。
【００１１】
また、上記目的を達成するため、本発明の画像復号化方法は、ブロック間予測または階層符号化を使用して符号化された画像データを複数に分割したセグメント単位で順に復号化して画像全体の復号化画像データを得る画像復号化方法であって、指令制御部が、格納部に格納された複数のセグメントのうちの１つとその格納領域情報を特定して復号化指令を発し、前記復号化指令を受けた復号化部は、前記格納部から、特定されたセグメントについての画像データと、当該セグメントに隣接する画像データの一部とがまとめて符号化された圧縮データを読み出してきて全体を復号化し、前記指令制御部は、得られた復号化画像データのうち、削除する不要領域を指定し、その削除する領域の情報を受けた前記復号化部は、得られた復号化画像データから不要領域のデータを削除して当該セグメントについての復号化画像データを得ることを要旨とする。
【００１２】
上記の画像復号化方法においては、当該セグメントに隣接するセグメントの復号化画像データの一部は、当該セグメントに接した一定幅領域であることが好適である。
【００１３】
ここで、前記一定幅領域は、符号化方法及び要求される画質の少なくとも一方に依存して決定されることが好適である。
【００１４】
また、前記画像データに係る画像は、遊技機に表示される画像であることが好適である。前記遊技機は、パチンコ機であることが好適である。
【００１５】
一方、上記目的を達成するため、本発明の画像処理装置は、ブロック間予測又は階層符号化を使用して符号化された画像データを構成する複数に分割したセグメント単位の画像データと、当該セグメントに隣接するセグメントの画像データの一部をまとめて符号化した圧縮データが格納される格納部と、前記格納部に格納された各セグメントを指定して復号化指令を発する指令制御部と、前記指令制御部から復号化指令に基づき、前記格納部から、指定されたセグメントの符号化画像データを読み出してきて全体を復号化し、得られた復号化画像データから不要領域データを削除して当該セグメントについての復号化画像データを得る復号化部と、を備えたことを要旨とする。
【発明の効果】
【００１６】
本発明の画像復号化方法及び画像処理装置によれば、ブロック間予測を採用して符号化した画像データを構成する複数のセグメントを順に復号化して画像全体の復号化画像データを得る場合において、各セグメントの画像データに加えて、隣接するセグメントの一部の画像データがまとめて符号化されており、それらに対して復号化し、その後、不要部分を削除しているので、セグメント外の画素を予測に用いることができ、従来のようなセグメントの境界におけるノイズは抑えられる。
【図面の簡単な説明】
【００１７】
【図１】図１は、本発明の画像復号化方法の一実施形態を実現するための画像処理装置の概略構成を示すブロック図である。
【図２】図２は、本発明の画像復号化方法の一実施形態の処理手順を示すフローチャートである。
【図３】図３は、本発明の画像復号化方法の基本概念を説明するための図である。
【図４】図４は、本発明の画像復号化方法の基本概念を説明するための図である。
【図５】図５は、従来における画像復号化方法を説明するための図である。
【発明を実施するための形態】
【００１８】
以下、図面を参照して、本発明の実施の形態について詳細に説明する。  
図１は、本発明の画像復号化方法の一実施形態を実現するための画像処理装置の概略構成を示すブロック図である。同図において、この画像処理装置は、中央処理装置（以下、ＣＰＵ（Central Processing Unit）と称す）１と、画像表示プロセッサ（以下、ＶＤＰ（Video Display Processor）と称す）２と、プログラムＲＯＭ（Read Only Memory）３と、ＣＧＲＯＭ（Character Generator Read Only Memory）４と、ＶＲＡＭ（Video Random Access Memory）５とを備えている。また、ＶＤＰ２は、少なくともデコーダ２１を有している。
【００１９】
ここで、ＣＧＲＯＭ４には、符号化され圧縮された複数の画像が予め格納されている。各画像データは、デコーダ２１の性能及び容量に応じ、複数のセグメントに分割され、セグメントごとに別アドレスに格納されている。プログラムＲＯＭ３には、ＣＰＵ１で実行される指令や、後述のように、全体画像のサイズ及びセグメントのアドレスが格納されている。ＶＤＰ２は、ＣＰＵ１からの指令とセグメントのアドレス等に基づき、ＣＧＲＯＭ４から、セグメント単位で符号化画像データを読み込み、そのデコーダ２１において、復号化処理を行う。復号化された画像データは、ＶＲＡＭ５に送られ、その後、描画回路（図示せず）により必要な加工が行われた後、表示装置（図示せず）に表示される。
【００２０】
次に、図３及び図４に基づき、本発明の基本概念を説明する。まず、説明の便宜のため、図３に示すように、１枚の画像が２つのセグメント（セグメント（１）及び（２））で構成されている場合で説明する。
【００２１】
本発明においては、当該セグメントの符号化データに、隣接するセグメントの画像データの一部が含まれている（便宜上「拡張セグメント」と称す）。すなわち、当該セグメントの画像データに、隣接するセグメントの画像データの一部を加えた、その全体に対して、復号化処理を行い、得られた復号化データから加えたデータに対応する部分を削除して、最終的に、当該セグメントの復号化データを求めている。かかる方法によれば、従来発生していたノイズは抑えられる。
【００２２】
具体的には、図３においては、セグメント（１）の復号化データを求めるのに、セグメント（１）の画像データに加えて、セグメント（２）の画像データの一部（例えば、３２画素幅分）を取り込んだ拡張セグメントを用いる。そして、拡張セグメント（１）の符号化データを復号化し、得られた復号化データから、上記セグメント（２）の一部に対応する部分を削除して、最終的に、セグメント（１）の符号化データを求めている。
【００２３】
また、セグメント（２）の場合は、セグメント（２）の画像データに加えて、セグメント（１）の画像データの一部（例えば、３２画素幅分）を取り込んでいる（拡張セグメント（２））。そして、拡張セグメント（２）の符号化データを復号化し、得られた復号化データから、上記セグメント（１）の一部に対応する部分を削除して、最終的に、セグメント（２）の符号化データを求めている。
【００２４】
次に、図４を参照して、２×２セグメントの場合について説明する。この場合も、同様に、隣接する画像データの一部を含めて復号化すればよい。例えば、図４に示すセグメント（１）の場合、同図のハッチングで示すように、セグメント（２）及び（３）の一部とセグメント（４）のごく一部とを含んだ拡張セグメントを復号化し、得られた復号化データからそれらに対応する部分を削除して、最終的にセグメント（１）についての復号化データを求めている。その他のセグメント（２）〜（４）も同様である。
【００２５】
なお、加える隣接セグメントの一部のデータ量は、採用されている符号化方式や設計条件等によって異なってくる。例えば、上述の4096x4096画素の場合であって、1セグメントを512x512画素とした場合であれば、8x8の64セグメントに分割される。尚、セグメントは正方形である必要はなく、任意の大きさに設定可能である。また、セグメントの大きさは画像全体で一律である必要はなく、セグメント間で大きさが変化してもよい。図４では、512x512画素のセグメントに対して32画素（Ｈ．２６４の２マクロブロック）分を加える例を示している。基本的には、加える隣接セグメントのデータ量が多くなればなるほど、予測のための情報が増えるため画質は向上するが、逆に処理負荷は増してしまう。
【００２６】
なお、３×３セグメント以上の場合も同様である。例えば、３×３セグメントの場合、中央のセグメントは、四方に接しているので、その四方の隣接セグメントからその一部を付加する。ｎ×ｎセグメントであっても、当業者であれば、各セグメントがどのようなパターンで隣接セグメントの一部を付加するか、容易に理解できるであろう。
【００２７】
次に、図２を主に参照し、また、図１を補足的に参照し、本発明の画像符号化方法の一実施形態の処理手順を説明する。
【００２８】
前述のように、ＣＧＲＯＭ４には、各画像の符号化データが、セグメント単位で、個々に格納アドレス（例えば、当該セグメントの左上隅のドット情報が格納されるアドレス）が指定されて格納されている。また、プログラムＲＯＭ３には、全体画像のサイズと、各セグメントが格納されているアドレスが格納されている。
【００２９】
そこで、ＣＰＵ１は、セグメントを指定して、ＶＤＰ２に対してデコード指令を出す。つまり、ＣＰＵ１は、プログラムＲＯＭ３から指定のセグメントのアドレスを読み出し、それをパラメータとしてセグメントデコードの指令をＶＤＰ２に送出する（ステップＳ１）。ＶＤＰ２内のデコーダ２１は、その指定セグメントのアドレス情報に基づき、ＣＧＲＯＭ４から、そのセグメントについての拡張セグメントデータ（そのセグメントの画像データと隣接セグメントの一部の画像データをまとめて符合化したもの）を読み出してきて、復号化処理を行う。
【００３０】
次に、ＣＰＵ１は、得られた復号化データについて、付加した隣接セグメントの一部に対応する不要な領域（削除する領域）を決定すると共に、描画先を決定する（ステップＳ２）。次に、ＣＰＵ１は、決定された削除する領域と描画先をパラメータとして、ＶＤＰ２に対してそのセグメントの描画を指令する（ステップＳ３）。次に、ＣＰＵ１は、全てのセグメントについて、処理が終了したか否かを判断する（ステップＳ４）。例えば、８×８の６４セグメントであれば、６４個終了したかを判断する。終了していなければ、ステップＳ１に戻り、同様の処理を繰り返す。
【産業上の利用可能性】
【００３１】
本発明は、例えばパチンコ機のような遊技機で採用される画像復号化方法やかかる遊技機に搭載される画像処理装置に適用できる。
【符号の説明】
【００３２】
１  ＣＰＵ
２  ＶＤＰ
２１  デコーダ
３  プログラムＲＯＭ
４  ＣＧＲＯＭ
【図１】
2012156904.tif 000003
【図２】
2012156904.tif 000004
【図３】
2012156904.tif 000005
【図４】
2012156904.tif 000006
【図５】
2012156904.tif 000007